(57)【要約】【課題】浴槽水面に揺らぎが少ない場合やない場合でも、反射光等を変化させて十分なリラクゼーション効果が得られる浴室照明システムを提供する。【解決手段】壁もしくは天井に配設されその光源から浴室内部に設置された浴槽の水面に光を照射する浴室照明装置であって、光源の点灯状態が制御手段によって一定周期等の所定の周期で繰り返し制御されることを特徴とする。前記制御手段は、例えば光源としての複数色のＬＥＤの色と光量の少なくとも一方を制御したり、各色のＬＥＤの光量の切換時に、光量が段階的に変化するように制御する。【選択図】  図４
2005052188.tif 000002
【特許請求の範囲】
【請求項１】
壁もしくは天井に配設されその光源から浴室内部に設置された浴槽の水面に光を照射する浴室照明システムであって、
前記光源の点灯状態が制御手段によって所定の周期で繰り返し制御されることを特徴とする浴室照明システム。
【請求項２】
前記制御手段は、光源の色と光量の少なくとも一方を制御することを特徴とする請求項１に記載の浴室照明システム。
【請求項３】
前記所定の周期が一定周期であることを特徴とする請求項１または２に記載の浴室照明システム。
【請求項４】
前記制御手段は、光源の光量の切換時に、光量が段階的に変化するように制御することを特徴とする請求項１ないし３のいずれかに記載の浴室照明システム。
【請求項５】
前記光源は、赤、青、緑色の三原色のＬＥＤであることを特徴とする請求項１ないし４のいずれかに記載の浴室照明システム。
【発明の詳細な説明】
【０００１】
【発明の属する技術分野】
本発明は、例えばユニットバスルーム等の浴室の照明システムに係わり、特に、浴室内に幻想的な雰囲気を醸し出すことが可能な浴室照明システムに関する。
【０００２】
【従来の技術】
従来、浴室内に設置される浴槽の水面にスポットライトを照射し、その反射光を浴室の壁や天井に写し出すことにより、浴室内に光による幻想的な雰囲気を醸し出すことが可能な浴室として、例えば特許文献１に開示のものが知られている。この浴室は、例えば天井に配置したスポットライト照明装置に、光源としてハロゲンランプを使用し、このハロゲンランプの光を浴槽水面に照射するようにしたものである。
【０００３】
【特許文献１】
特開２００３−９７０６４号公報
【０００４】
【発明が解決しようとする課題】
しかしながら、このような浴室においては、スポットライト照明装置を一定の明るさと色で点灯させることにより、ハロゲンランプの光を浴槽水面に照射する構成であるため、例えば、浴槽水面に揺らぎがない場合や入浴者が浴槽内であまり動かず浴槽水面に揺らぎが少ない場合に、壁や天井に写し出される反射光の変化（揺らぎの発生）が十分でなく、反射光が単調となって入浴者に十分なリラクゼーション効果が得られ難いという問題点を有している。
【０００５】
また、スポットライト照明装置の光源がハロゲンランプであることから、該ランプによる消費電力が多くなって省エネの面で好ましくなく、さらに、スポットライト照明装置自体の発熱量が多くなって、スポットライト照明装置が取り付けられる天井パネルの少なくとも照明装置取付部分の耐熱性をアップさせる必要がある等、天井構造が複雑化し易いという問題点も有している。
【０００６】
本発明は、このような事情に鑑みてなされたもので、その目的は、浴槽水面に揺らぎが少ない場合やない場合でも、反射光等を変化させて十分なリラクゼーション効果が得られる浴室照明システムを提供することにある。また、他の目的は、前記目的に加え、消費電力を少なくして省エネ化や天井構造等の簡略化が図れる浴室照明システムを提供することにある。
【０００７】
【課題を解決するための手段】
かかる目的を達成すべく、本発明のうち請求項１に記載の発明は、壁もしくは天井に配設されその光源から浴室内部に設置された浴槽の水面に光を照射する浴室照明装置であって、前記光源の点灯状態が制御手段によって所定の周期で繰り返し制御されることを特徴とする。
【０００８】
このように構成することにより、浴室の例えば天井に配設された光源の光は、浴槽水面に照射されて水面で反射され、この反射光が浴室の壁や天井に写し出される。この時、光源の点灯状態が制御手段で制御されて、その色や光量等が所定の周期で繰り返し変化した状態で水面に照射されることから、浴槽の水面の揺らぎが少ない場合等であっても反射光や照射光の色と光量等を変化できて、入浴者へのリラクゼーション効果を十分に高めることができる。
【０００９】
そして、前記制御手段は、請求項２に記載の発明のように、光源の色と光量の少なくとも一方を制御することが好ましい。このように構成することにより、光源の色と光量の少なくとも一方が所定の周期で繰り返し制御されることから、例えば色のみを変化させたり光量のみを変化させたり、あるいは色と光量の両方を変化させるように制御できて、反射光等に一層の変化が得られる。
【００１０】
また、請求項３に記載の発明のように、前記所定の周期が一定周期であることが好ましい。このように構成することにより、反射光等が一定周期で変化することから、所定に変化する照射光等が容易に得られると共に、制御装置自体の制御を簡略化できる。
【００１１】
また、前記制御手段は、請求項４に記載の発明のように、光源の光量の切換時に、光量が段階的に変化するように制御することが好ましい。このように構成することにより、所定色の光量を切り換える際に、切換前は例えば徐々に光量を減らし切換後は例えば徐々に光量を増やすことができて、反射光等に一層の変化が得られる。
【００１２】
また、前記光源は、請求項５に記載の発明のように、赤、青、緑色の三原色のＬＥＤであることが好ましい。このように構成することにより、光源として光の三原色のＬＥＤが使用されることから、その点灯状態の制御により浴槽水面に全ての色の光を照射できて、反射光等に一層の変化が得られると共に、光源としてＬＥＤを使用することで、システムの消費電力の低減化が図れたり、発熱が抑えられて設置部位である天井パネル等の天井構造の簡略化が図れる。
【００１３】
【発明の実施の形態】
以下、本発明の実施の形態を図面に基づいて詳細に説明する。
図１〜図６は、本発明に係わる浴室照明システムの一実施形態を示し、図１が該システムを使用した浴室の概略構成図、図２がそのスポットライト照明装置の平面図、図３がその側面図、図４が浴室照明システムの制御系のブロック図、図５及び図６がその動作を説明するためのタイミングチャートである。
【００１４】
図１において、システムバスルーム等の浴室１は、防水パン２と、４枚の壁パネル３ａ〜３ｄ及び例えばドーム型の天井パネル４によって略箱状に形成され、前記防水パン２の壁パネル３ａ側には浴槽５が設置されると共に、この浴槽５の側方の防水パン２上には洗い場６が設けられている。また、洗い場６の壁パネル３ｂ側には、その下部に蒸気等の吹出口が形成されたカウンター７が設けられ、このカウンター７上方の壁パネル３ｂには、水栓９、シャワー１０、ミラー１１、主照明装置１２、収納棚１３等が一体的に組み込まれたミラーパネル８が配設されている。
【００１５】
そして、この浴室１には、浴室照明システム１５が設置されている。この浴室照明システム１５は、一対のスポットライト照明装置１６Ａ、１６Ｂ（以下、単に照明装置１６Ａ、１６Ｂという）と、この照明装置１６Ａ、１６Ｂの点灯状態を制御する制御手段としての制御装置１７等を有している。照明装置１６Ａ、１６Ｂは、浴槽５上方の天井パネル４の曲線方向に沿った対向位置に配置され、図２及び図３に示すように構成されている。なお、図２及び図３では、一方の照明装置１６Ａのみ示すが他方の照明装置１６Ｂも同様に構成されている。
【００１６】
すなわち、照明装置１６Ａは、略円錐形状で内部に反射板１８ａを有する（もしくは反射面が形成された）照明ケース１８と、この照明ケース１８の底部に配置され光源１９が取り付けられたプリント基板２０と、照明ケース１８の開口部に配置された例えば透明なガラス等からなる照射板２１等を有している。
【００１７】
前記光源１９は、プリント基板２０上に実装された、光の三原色の色を放つ赤色ＬＥＤ１９ａ（図ではＲ）と、青色ＬＥＤ１９ｂ（図ではＢ）と、緑色ＬＥＤ１９ｃ（図ではＧ）が使用され、この三色のＬＥＤ１９ａ〜１９ｃが一組となって平面視で三角形状に配置され、この一組のＬＥＤ１９ａ〜１９ｃを横方向及び縦方向に所定組連設することにより、その外形形状が平面視で略円形を呈するように形成されている。そして、これらの各色のＬＥＤ１９ａ〜１９ｃは、例えば各色毎に直列接続されて前記制御装置１７にそれぞれ接続されている。以下、この制御装置１７を含めた浴室照明システム１５の制御系のブロック図を、図４を参照して説明する。
【００１８】
前記制御装置１７は、ＣＰＵ２３、ＲＯＭ２４、ＲＡＭ２５、入出力用のインターフェース２６及びＤ／Ａ変換回路２７等を有するマイコン２２と、このマイコン２２のインターフェース２６に接続された受信器２８と、Ｄ／Ａ変換回路２７に接続された調光器２９等で構成されている。受信器２８には浴室１の壁パネル３ａに着脱可能に取り付けられたリモコン３０が無線（もしくは有線）で接続され、調光器２９には前記照明装置１６Ａ（図では照明装置Ａ）と照明装置１６Ｂ（図では照明装置Ｂ）が接続されている。
【００１９】
なお、リモコン３０には、制御装置１７によって各照明装置１６Ａ、１６Ｂの各ＬＥＤ１９ａ〜１９ｃの点灯状態を所定に制御する自動調光スイッチ３１や自動調光等の各種時間を設定するタイマー３２等（図１参照）が設けられ、この自動調光スイッチ３１がオン操作された場合に、一対の照明装置１６Ａ、１６Ｂが例えば次のようにして自動調光（コロラマ調光）される。
【００２０】
すなわち、図５に示すように、先ず、赤色ＬＥＤ１９ａは、時刻ｔ１で点灯を開始すると徐々に光量が増して明るくなって正規の赤色となり、これが所定時間Ｔ０経過した時刻ｔ２から光量が減少することにより徐々に暗くなって、時刻ｔ３で光量が「０」となって完全な消灯状態となる。また、青色ＬＥＤ１９ｂは、赤色ＬＥＤ１９ａが時刻ｔ２から暗くなり始めると同時に点灯を開始し、時刻ｔ３で暗くなり始めて時刻ｔ４で消灯する。さらに、緑色ＬＥＤ１９ｃは、時刻ｔ３で赤色ＬＥＤ１９ａが消灯しかつ青色ＬＥＤ１９ｂが暗くなり始めると同時に点灯を開始して、時刻ｔ４から暗くなり始め時刻ｔ５で消灯する。そして、赤色ＬＥＤ１９ａは、時刻ｔ６で再び点灯を開始することになる。
【００２１】
つまり、三色のＬＥＤ１９ａ〜１９ｃが、同じ時間Ｔ０だけずれた状態で点灯開始・光量増加・光量減少・消灯して、各色のＬＥＤ１９ａ〜１９ｃから所定の光量の光が照射されると共に、各ＬＥＤ１９ａ〜１９ｃに点灯時間Ｔ１と消灯時間Ｔ２からなる時間（Ｔ１＋Ｔ２）を周期Ｔとした連続した点灯状態が得られる。これにより、色と光量が周期Ｔ内において時々刻々変化する照射光が浴槽５の水面に照射されることになる。なお、各ＬＥＤ１９ａ〜１９ｃの光量増加から光量減少に切り換えは、図５の実線で示すように、増加から減少へ連続して切り換えることもできるが、二点鎖線で示すように、所定の一定光量時間Ｔ３（Ｔ３＜Ｔ０）を設けて切り換えることも勿論可能である。
【００２２】
また、制御装置１７による一対の照明装置１６Ａ、１６Ｂの各ＬＥＤ１９ａ〜１９ｃの点灯制御は、図６（ａ）に示すように、照明装置１６Ａ（照明装置Ａ）と照明装置１６Ｂ（照明装置Ｂ）の周期Ｔ（Ｔ１＋Ｔ２）を一致させて行い、天井パネル４の左右の照明装置１６Ａ、１６Ｂから略同じ照射光を照射する。また、図６（ｂ）に示すように、照明装置１６Ａの周期Ｔと照明装置１６Ｂの周期Ｔを例えば時間Ｔ４ずらすことで、照明装置１６Ａと照明装置１６Ｂから照射される照射光の状態を異ならせることもでき、この場合は、２本の照射光が異なり浴室１内に照射される照射光に一層の変化が得られることになる。
【００２３】
これらの点灯状態の制御（制御パターン）は、１種類もしくは複数種類が制御装置１７のマイコン２２のＲＯＭ２４に予め記憶され、これが自動調光スイッチ３１のオン操作によりＣＰＵ２３に読み出され、制御パターンに対応する信号がＤ／Ａ変換回路２７から調光器２９に出力され、この調光器２９によって各照明装置１６Ａ、１６Ｂの点灯状態が自動的に制御されるようになっている。この時、制御パターンが複数種類設定される場合は、例えば自動調光スイッチ３１のオン操作回数に応じて所定の制御パターンが選択設定されるように構成することが好ましい。
【００２４】
なお、図５に示す各ＬＥＤ１９ａ〜１９ｃの点灯制御や図６に示す各照明装置１６Ａ、１６Ｂの点灯制御も一例であって、例えば図５に示す点灯制御において、各ＬＥＤ１９ａ〜１９ｃの消灯後に直ちに点灯開始（Ｔ２＝０に設定）させるようにしたり、ＬＥＤ１９ａ〜１９ｃの点灯開始を他のＬＥＤ１９ａ〜１９ｃの光量増加や光量減少中に設定したり、あるいは時間Ｔ１と時間Ｔ２を同一時間に設定する等、適宜の制御を採用できる。また、周期Ｔとしては、一定周期Ｔの繰り返しに限らず、例えば時刻の経過と共に周期Ｔが変化する周期Ｔやランダムな周期Ｔ、交流電源の周波数に応じた周期Ｔ等を採用することもできる。さらに、図６に示す点灯制御においても、照明装置１６Ａ、１６Ｂが２個の場合のずれ時間Ｔ４を適宜の時間に設定することができるし、照明装置が１個の場合は、周期Ｔのオン時間Ｔ１とオフ時間Ｔ２を異ならせる等、適宜の制御を採用できる。
【００２５】
このように構成された浴室照明システム１５は、入浴者が浴室１内の浴槽５に入浴中に、例えばリモコン３０の自動調光スイッチ３１をオン操作することにより、各照明装置１６Ａ、１６Ｂの光源１９が前述したように点灯制御され、その照明光が下方に向けて照射される。そして、この照射光が浴槽５水面で反射されて反射光となり、この反射光が浴室１の壁パネル３ａ〜３ｄや天井パネル４に写し出される。この時、浴槽５の水面が入浴者の動きにより揺らいでいる場合は、この水面の揺らぎに反射光が追従して揺らいだ状態となり、壁パネル３ａ〜３ｄや天井パネル４に写し出される反射光に無限の変化（揺らぎ）が得られることになる。
【００２６】
また、入浴者が浴槽５内であまり動かず浴槽５の水面に揺らぎが少ない場合、あるいは浴槽５の水面に揺らぎがない場合は、反射光自体に変化が少なかったり、あるいは反射光自体に揺らぎ等による変化は得られないものの、制御装置１７により照明装置１６Ａ、１６Ｂの点灯状態が制御されてその色や明るさが無限に変化し、この照射光の変化に追従して反射光も変化することになって、浴室１の壁パネル３ａ〜３ｄ等に変化する状態の反射光が写し出されることになる。
【００２７】
そして、リモコン３０の自動調光スイッチ３１をオフ操作もしくはタイマー３２で設定された自動調光の所定時間が経過すると、照明装置１６Ａ、１６Ｂが共に消灯すると共に、主照明装置１２が点灯して、浴室１内が通常の照明状態に復帰する。なお、照明装置１６Ａ、１６Ｂの点灯・消灯は、主照明装置１２と関連付けられるが、浴室１に設置される各種付帯器具（例えば音響再生装置や蒸気発生装置等）と関連付けて行うことも勿論可能である。
【００２８】
このように、上記実施形態の浴室照明システム１５にあっては、浴槽５の水面に光を照射しその反射光を壁パネル３ａ〜３ｄ等に写し出す照明装置１６Ａ、１６Ｂの光源１９が、複数のＬＥＤ１９ａ〜１９ｃで形成され、このＬＥＤ１９ａ〜１９ｃの点灯状態が制御手段１７によって制御されて自動調光されるため、浴槽５の水面に揺らぎが少ない場合やない場合でも、制御装置１７の制御で照射光やその反射光に効率的な変化を与えることができる。
【００２９】
また、照明装置１６Ａ、１６Ｂの光源１９が複数の三原色のＬＥＤ１９ａ〜１９ｃで形成されその照射光が調光可能に形成されているため、光の三原色からなるＬＥＤ１９ａ〜１９ｃの点灯状態を制御することにより、各ＬＥＤ１９ａ〜１９ｃの点灯制御で全ての色の照射光を得ることができると共に、各色のＬＥＤ１９ａ〜１９ｃの光量制御で所定明るさの照射光が容易に得られ、これらを水面で反射させて壁パネル３ａ〜３ｄ等に写し出すことができる。これにより、浴室１内に一層変化に富んだ反射光を得ることができ、特に光源１９として三色一組のＬＥＤ１９ａ〜１９ｃを多数組配置して、各色のＬＥＤ１９ａ〜１９ｃの点灯状態を所定に制御することで、照射光の色と光量を略無限に変化させることができて、反射光に一層の変化が得られることになる。
【００３０】
また、制御装置１７のマイコン２２に制御パターンが予め記憶され、これがリモコン３０の自動調光スイッチ３１のオン操作で自動的に読み出されて、調光器２９により照明装置１６Ａ、１６Ｂが所定の色や所定の明るさで点灯するため、予め所定の制御パターンを設定することで照射光や反射光に入浴者の好みに応じた変化を容易に得ることができ、この場合、制御パターンを複数種設定して選択可能とすることで、入浴者の好みに的確に対応することができる。これらにより、浴室１内の照射光や反射光を入浴者が入浴中に視認することで、湯による身体の温まりと同時に幻想的な光によるリラクゼーション効果が得られて、従来の単調な照明装置の照射光に比較して、一層快適な入浴が可能になる。
【００３１】
また、照明装置１６Ａ、１６Ｂの光源１９としてＬＥＤ１９ａ〜１９ｃが使用されているため、従来の光源としてのハロゲンランプに比較して消費電力を少なくすることができて、照明装置１６Ａ、１６Ｂ自体の省エネ化を図ることができると共に、ＬＥＤ１９ａ〜１９ｃ自体の発熱が極めて小さく、照明装置１６Ａ、１６Ｂが高温になることが抑えられ、天井パネル４の照明装置１６Ａ、１６Ｂ設置部位の耐熱構造が不要になったり簡略化することができて、天井パネル４の構造の簡略化を図ることが可能になる。これにより、照明装置１６Ａ、１６Ｂをユニットバスルーム等の浴室１に好適に設置できる。
【００３２】
さらに、三色一組となったＬＥＤ１９ａ〜１９ｃが複数組所定配列で配置されることにより、その外形形状が略円形に形成されているため、従来のハロゲンランプと略同一平面形状の光源１９を容易に得ることができ、浴槽５の水面に断面円形の照射光を照射して、２個の照明装置１６Ａ、１６Ｂの使用により浴槽５の水面の略全域をカバーすることができる。これにより、浴室１内の壁パネル３ａ〜３ｄや天井パネル４の略全域に反射光を写し出すことができて、浴室１内に光による一層幻想的な雰囲気を醸し出すことが可能になる。
【００３３】
また、制御装置１７に制御パターンが予め記憶設定され、これがリモコン３０の操作により読み出されて照明装置１６Ａ、１６Ｂが自動的に点灯等するため、照明装置１６Ａ、１６Ｂの操作を容易に行うことができて、操作性に優れた浴室照明システム１５を得ることができる。また、照明装置１６Ａ、１６Ｂと主照明装置１２が関連付けられて制御されるため、照明装置１６Ａ、１６Ｂの点灯時に主照明装置１２を自動的に消灯したり減灯でき、浴室１に配設される各種照明装置の使い勝手を向上させることが可能になる。
【００３４】
またさらに、照明装置１６Ａ、１６Ｂの光源１９としての各色のＬＥＤ１９ａ〜１９ｃが直列接続されているため、例えば並列接続する場合に比較して、ＬＥＤ１９ａ〜１９ｃを点灯させるための電流値を小さくすることができ、調光器２９に使用される変圧器等の構成を簡略化できて、構成簡易にして安価な例えば市販のメモリー調光器等の調光器２９を使用することができる。また、照明装置１６Ａ、１６Ｂの複数のＬＥＤ１９ａ〜１９ｃがプリント基板２０に実装されるため、光源１９を安価かつ安定して製造でき、これらのことから、前述した省エネ化や天井パネル等の構造の簡略化と併せ、安価な浴室照明システム１５を得ることが可能になる。
【００３５】
なお、上記実施形態においては、制御装置１７のマイコン２２に制御パターンを予め記憶させ、リモコン３０の操作で所定の制御パターンに基づき照明装置１６Ａ、１６Ｂの点灯状態を変化させることで、湯に揺らぎがない時でも反射光等に変化を与えるように構成したが、本発明はこれに限定されず、例えば湯の揺らぎを適宜のセンサで検出し、揺らぎが所定量以下の場合に調光器２９を介して照明装置１６Ａ、１６Ｂの点灯状態を、通常状態（非自動調光状態）から自動調光状態に機械的に変化させるようにしても良い。
【００３６】
また、上記実施形態においては、天井パネル４の曲線方向の両側に照明装置１６Ａ、１６Ｂを設置したが、例えば天井パネル４の曲線方向の一方側や中央に１個の照明装置を設置することもできるし、天井パネル４に限らず適宜の壁パネル３ａ〜３ｄの上部に設置することもできる。
【００３７】
さらに、上記実施形態においては、光源１９として光の三原色のＬＥＤ１９ａ〜１９ｃを使用したが、本発明の光源としては、この三原色のＬＥＤに限定されず、例えば他の色のＬＥＤ、白色のハロゲンランプと色付きの回転フィルターの組み合わせ、色付きのハロゲンランプ、色付きの電球等のように、色と光量が可変できる適宜の光源を使用することができる。また、上記実施形態における、照明装置１６Ａ、１６ＢのＬＥＤの使用個数、配列状態、接続方法あるいは制御装置１７の構成等も一例であって、本発明に係わる各発明の要旨を逸脱しない範囲において適宜に変更することができる。
【００３８】
【発明の効果】
以上詳述したように、請求項１に記載の発明によれば、光源の点灯状態が制御手段で制御されて、その色や光量等が所定の周期で繰り返し変化した照明光が水面に照射されるため、浴槽の水面の揺らぎが少ない場合等であっても反射光や照射光の色と光量等に変化が得られて、入浴者へのリラクゼーション効果を十分に高めることができる。
【００３９】
また、請求項２に記載の発明によれば、請求項１に記載の発明の効果に加え、制御手段により光源の色と光量の少なくとも一方が所定の周期で繰り返し制御されるため、例えば色のみを変化させたり光量のみを変化させたり、あるいは色と光量の両方を変化させるように制御できて、反射光等に一層の変化を得ることができる。
【００４０】
また、請求項３に記載の発明によれば、請求項１または２に記載の効果に加え、照明光が一定周期で変化するため、変化する照射光等を容易に得ることができると共に、制御装置自体の制御を簡略化することができる。
【００４１】
また、請求項４に記載の発明によれば、請求項１ないし３に記載の発明の効果に加え、光源の光量を切り換える際に、切換前は例えば徐々に光量を減らし切換後は例えば徐々に光量を増やすことができるため、各色の光源の光量に変化が得られて、反射光等に一層の変化を得ることができる。
【００４２】
また、請求項５に記載の発明によれば、請求項１ないし４に記載の発明に効果に加え、光源として赤、青、緑色の三原色のＬＥＤが使用されるため、その点灯状態の制御により浴槽水面に全ての色の光を照射できて、反射光等に一層の変化を得ることができると共に、照明装置の消費電力の低減化が図れ、かつ発熱が抑えられて設置部位である天井パネル等の天井構造の簡略化を図ることができる。
【図面の簡単な説明】
【図１】本発明に係わる浴室照明システムを使用した浴室の概略構成図
【図２】同そのスポットライト照明装置の平面図
【図３】同その側面図
【図４】同浴室照明システムの制御系のブロック図
【図５】同その動作の一例を示すタイミングチャート
【図６】同他のタイミングチャート
【符号の説明】
１・・・・・・・・・・浴室
３ａ〜３ｄ・・・・・・壁パネル
４・・・・・・・・・・天井パネル
５・・・・・・・・・・浴槽
１２・・・・・・・・・主照明装置
１５・・・・・・・・・浴室照明システム
１６Ａ、１６Ｂ・・・・スポットライト照明装置
１７・・・・・・・・・制御装置
１８・・・・・・・・・照明ケース
１９・・・・・・・・・光源
１９ａ・・・・・・・・赤色ＬＥＤ
１９ｂ・・・・・・・・青色ＬＥＤ
１９ｃ・・・・・・・・緑色ＬＥＤ
２０・・・・・・・・・プリント基板
２１・・・・・・・・・照射板
２２・・・・・・・・・マイコン
２３・・・・・・・・・ＣＰＵ
２６・・・・・・・・・インターフェース
２７・・・・・・・・・Ｄ／Ａ変換回路
２８・・・・・・・・・受信器
２９・・・・・・・・・調光器
３０・・・・・・・・・リモコン
Ｔ・・・・・・・・・・周期Ｔ
【図１】
2005052188.tif 000003
【図２】
2005052188.tif 000004
【図３】
2005052188.tif 000005
【図４】
2005052188.tif 000006
【図５】
2005052188.tif 000007
【図６】
2005052188.tif 000008